Podtech/llm-jp-corpus-v4-ja_patent huggingface dataset:
(57)【要約】      （修正有）【課題】チューブの内容物を取り出す際に、底部に流れず、粘着性の内容物でも内容物を残さず、容易に無駄なく取り出せるチューブしぼり器の提供。【解決手段】パイプ１、丸棒２、ゴム輪ベルト３から構成したチューブしぼり器を装着することにより、逆流を止め、使った分を押し上げていく。【選択図】図１
2008114919.tif 000002
【特許請求の範囲】
【請求項１】
パイプ・・・（１）    丸棒・・・（２）    ゴム輪ベルト・・・（３）
を図１に示す如く構成したチューブしぼり器
【発明の詳細な説明】
【技術分野】
【０００１】  本発明は、チューブの内容物を無駄なく、しぼり出す器具に関する。
【発明の開示】
【発明が解決しようとする課題】
【０００２】  チューブの内容物を押し出すのは、指先圧であるが、出口と同時に底部にも流れて、後になると指先では取り出しずらくなり、結果チューブと共に捨てられる事がある。  特に粘着性の内容物に多い。  もったいない話である。
【課題を解決するための手段】
【０００３】  課題を解決するには、底部に内容物が流れない様にすること。  少なくなったチューブの内容物を押し出し易い状態にすることである。  方法は、本発明図１に示す器具を使って出来る。
【発明の効果】
【０００４】  器具の着脱容易、操作が簡単で解り易く、確実に課題を解決する。
【発明を実施するための最良の形態】
【０００５】  チューブを数回使用した後、キャップを閉め、器具中央に底部の角から差込み、チューブ又はキャップ部分を押さえ、パイプを廻す様に２本の指で挟み使った分押し上げていく。次からは器具が内容物の逆流を阻止し、押し出し易くなり、使った分器具を押し上げていけば無駄なく内容物を取り出せる。
【図面の簡単な説明】
【０００６】
【図１】    本発明器具のスケッチ図
【図２】    使用途中のスケッチ図
【符号の説明】
【０００７】    １  パイプ
２  丸棒
３  ゴム輪ベルト
【図１】
2008114919.tif 000003
【図２】
2008114919.tif 000004
(57)【要約】【課題】膝、太もも、ふくらはぎが痛い時や、重い時に、気になる所に突起部分を当てて、軽く屈伸運動をすることで、筋肉を圧迫、刺激して血流を良くし、痛い、重い症状を解消す弾性体突起つき帯状健康具を提供する。【解決手段】ゴムバンド（１）の裏表両面に弾性体から成る半球状（２）と、山形突起（３）とをそれぞれ複数設け、帯状（バンド）の両端部に面ファスナー（４）を設けた帯状健康具で、そのバンドを膝、太もも、ふくらはぎ、腕に巻き、屈伸運動をした際に突起が筋肉を圧迫、刺激するように構成した健康増進器具である。【選択図】図１
2008114026.tif 000002
【特許請求の範囲】
【請求項１】
ゴムバンドの裏表両面に、弾性体から成る数個の半球状の突起、及び山形突起をそれぞれ設け、バンドを膝、太もも、ふくらはぎ、腕に巻き、屈伸運動をした際に突起が筋肉を圧迫、刺激するように構成した弾性体突起つき帯状健康具。
【発明の詳細な説明】
【技術分野】
【０００１】本発明は、膝、太もも、ふくらはぎが痛い時や重い時に、気になる所に突起部分を当てて軽く、屈伸運動をすることで、筋肉を圧迫、刺激して血流を良くし、痛い、重いといった症状を弾性体突起つき帯状健康具に関するものである。
【背景技術】
【０００２】従来、膝部疾患治療バンドは、内側に長方形の平らなパッドが固定されている。なお２ヶ所に固定用のバンドが設けられた発明が知られている（特許文献１）。
【特許文献１】  特開平７−２４６２１２
【発明の開示】
【発明が解決しようとする課題】
【０００３】そのために、次のような問題点があった。
パッドが長方形なので、圧迫、刺激が身体の患部等に集中しにくく、固定部が２ヶ所のためバンド全体の位置をずらすのに手間がかかる。
【課題を解決するための手段】
【０００４】ゴムバンドの裏表両面に、弾性体から成る半球状の突起と山型突起とをそれぞれ複数設け、帯状バンドの両端部に面ファスナーを設けた帯状健康具で、該バンドを膝、太もも、ふくらはぎ、腕に巻き、屈伸運動をした際に突起が筋肉を圧迫、刺激するように構成した健康増進器具である。
【発明の効果】
【０００５】本発明は、膝、太もも、ふくらはぎの痛い、重い場所に突起をあてて、軽く屈伸運動によって筋肉を圧迫、刺激を与え、硬質突起のスポンジで血流を良くするのである。
【発明を実施するための最良の形態】
【０００６】以下、本発明の実施の形態を説明する。
（イ）ゴムバンド（１）に硬質から成るスポンジ半球突起（２）、硬質から成るスポンジ山型突起（３）を裏表両面に数個、固定する。山型突起（３）は半球突起（２）より５〜１０ｍｍ程高い。
（ロ）ゴムバンド（１）の長さ方向両端部に、環状固定可能になるように面ファスナ−を設けるのである。
【図面の簡単な説明】
【０００７】
【図１】本発明の斜視図
【図２】本発明の使用状態を示す斜視図
【図３】本発明の使用状態を示す他の斜視図
【符号の説明】
【０００８】１    ゴムバンド
２    半球状突起
３    山型突起
４    面ファスナー
【図１】
2008114026.tif 000003
【図２】
2008114026.tif 000004
【図３】
2008114026.tif 000005
(57)【要約】【課題】  本発明は、アクセサリー用の部品と部品を接続する丸カン及びＣカンを開閉するときに使う手芸用の指カンを提供する。【解決手段】  手芸用指カン本体に溝台２ヵ所設け、溝台にはおのおの異なる溝と滑り止めを設け、溝台と溝台の中間に１ヵ所切断部を設け、指の太さに合せることが出来ることを特徴とする。【選択図】図１
2008114023.tif 000002
【特許請求の範囲】
【請求項１】
手芸用指カン本体（１）の表面におのおの異なる幅の溝を設け、その溝には全て（４）滑り止め（４）を設け、溝台（２）と溝台（３）を設け、溝台（２）と溝台（３）の中間に切断部（５）を設けて指の太さにあわせて調節出来ることを特徴とする手芸用指カン。
【発明の詳細な説明】
【技術分野】
【０００１】  本発明は、アクセサリー用の部品と部品を接続する中継用丸カン及びＣカンを開閉するときに使う手芸用の指カンに関するものである。
【背景技術】
【０００２】  従来、指カンの表面にスリット２本のついた手芸用の指カンがあった（図６）。
【発明が解決しようとする課題】
【０００３】  丸カン及びＣカンを開閉するときに、滑り止めがないこと、スリットが貫通していること、広めのスリットが２本よりなく丸カン及びＣカンの径に合わないことが多いことがあり、次のような問題点があった。
（イ）開閉するとき滑り止めがないために、丸カン及びＣカンを持っている工具で指などを突き怪我をすることが多かった。
（ロ）滑り止めがないため、滑って接続する部品を落下させ破損させることが多かった。
（ハ）滑ることが念頭にあるため、手かげんが多くなり開閉面が重なったり、開き過ぎることが多かった。
（ニ）スリットが貫通しているため開閉面を密着させるためにおすことが出来ないことが多かった。
（ホ）広めのスリットが２本よりないため丸カン及びＣカンの径が合わないものが多く閉じたとき丸カン及びＣカンがネジレていることがほとんどであった。
【課題を解決するための手段】
【０００４】  手芸用指カン本体（１）に２ヵ所、溝台（２）と溝台（３）を設け、それぞれの台には滑り止め（４）を設け、溝台（２）に、約０．５ｍｍ、０．６ｍｍ、０．７ｍｍ、０．８ｍｍ、０．９ｍｍ、１．０ｍｍの６溝、溝台（３）に、約１．２ｍｍ、１．４ｍｍ、１．６ｍｍ、２．１ｍｍの４溝で貫通していない溝台（２）と溝台（３）を設けた。
指の太さがそれぞれ異なるため溝台（２）と溝台（３）の中間に約１ｍｍの切断部（５）を設ける。
以上のように構成された、指の太さの調節用とした手芸用指カンである。
【発明の効果】
【０００５】  手芸用指カンに溝台を２ヵ所設け、この溝台に１０種類の幅を設定したことにより丸カン及びＣカンの径がしっくり合うものを選択出来る。
さらに滑り止めを設けたために、滑りがなくなり、怪我、部品の破損、密着面の開き過ぎ重なりネジレが手加減することなく出来るため、安全でロスのない確実な丸カン及びＣカンの開閉が出来る。
【発明を実施するための最良の形態】
【０００６】  以下、本発明の実施の形態について説明する。
（イ）手芸用指カン本体（１）の内径に人差指又は中指の第２関節に合うように切断部（５）を調節し装着する。
（ロ）丸カン又はＣカンの径に合う溝台（２）及び（３）を選択する。
（ハ）接続される部品を入れた丸カン又はＣカンを選択した溝の滑り止め（４）まで押入し開閉させる。
【図面の簡単な説明】
【０００７】
【図１】  本発明の斜視図である。
【図２】  本発明の手芸用指カン本体の平面図である。
【図３】  本発明の手芸用指カン本体の底面図である。
【図４】  本発明の右側図である。
【図５】  本発明の手芸用指カン本体の溝台の一部分の断面図に丸カンを装着した状態を表した説明図である。
【図６】  従来の指カンを説明した斜視図である。
【符号の説明】
【０００８】  １  手芸用指カン本体
２  溝台
３  溝台
４  滑り止め
５  切断部
【図１】
2008114023.tif 000003
【図２】
2008114023.tif 000004
【図３】
2008114023.tif 000005
【図４】
2008114023.tif 000006
【図５】
2008114023.tif 000007
【図６】
2008114023.tif 000008
(57)【要約】【課題】自動ティーアップ装置のないゴルフ練習場において、人工芝の打撃練習マットにゴルフボールをセットする場合、従来はゴルフボールをかごに入れ、打席まで運び、ボールトレイにボールを移し、そのボールトレイから打撃練習マットにボールを移動する必要があり、多くの場合、ゴルフクラブのヘッドで掻き出すのが一般的である。しかし、従来のゴルフボールトレイは、クラブヘッドでボールを掻き出す際に不必要な複数のボールが出てくる事が多い。この課題を解決する。【解決手段】トレイ本体の奥からボール取り出し部に向けて、底面部を緩やかな下り傾斜にして、ボール取り出し部に向かって傾斜面を有するＵ字溝を形成する事により、ゴルフボールをクラブヘッドで掻き出した時、１個ずつ打撃練習マットに移動できるように改善したゴルフボール溜めトレイを提案する。【選択図】図１
2008114021.tif 000002
【特許請求の範囲】
【請求項１】
長方形状からなるトレイ本体の低壁部に設けたボール取出部に傾斜角度を約１５度乃至４５度程度に施した傾斜面に、ボールの径に近い大きさのＵ字溝部を多数配列させてなる事を特徴としたゴルフボール溜めトレイである。
【発明の詳細な説明】
【技術分野】
【０００１】本発明は、ゴルフ打撃練習ににおいて、ゴルフ練習場の各打席周囲に設置された打撃練習マットに平行に置くゴルフボール溜めトレイに関するものであり、そのゴルフボ−ルトレイの中に収納されたゴルフボールをクラブで容易に１個ずつ取り出す事を可能にした器具である。
【背景技術】
【０００２】ゴルフ練習場において、打撃練習を行なう場合、ボールかごに所定数のゴルフボールを収納し、指定の打席まで運び、ゴルフボールトレイにボールかごに入ったゴルフボールを入れ、人工芝からなる打撃練習マットにゴルフボールを載せて、打撃練習を行っている。【０００３】その際、従来のゴルフボールトレイは、長方形状の本体周緑壁を形成し、該周緑壁の高さを約４ｃｍ位としているため、本体内のゴルフボールが取りにくく、そのため打撃練習マット側のゴルフボールトレイの周緑壁の高さを低くした物が知られている。また、その他公知文献としては、ゴルフボール収納機能を有した特許文献１に開示されたものが提案されている。
【特許文献１】  特開  平８−２４７５６２号
【発明の開示】
【発明が解決しようとする課題】
【０００４】ゴルフ練習場において、自動ティーアップ装置がない場合は、自分手でゴルフボールを打撃練習マットの上にセットしなければならない。既存のボールかご、又はボールトレイにクラブヘッドを入れ、掻き出す事によって、体をかがめることなくボールをセットしたいが、従来のボールトレイは、意に反して多くのゴルフボールが、打撃練習マットの上に転がり込む事が多い。このような場合、不必要なゴルフボールを排除する手間が増える上、練習に集中できないという問題点がある。
【課題を解決するための手段】
【０００５】前述した課題を達成するために、この発明は長方形状からなるトレイ本体の低壁面に設けたボール取り出し面に傾斜角度を１５度乃至４５度程度に施した傾斜面を形成し、ゴルフボールの径に近い大きさのＵ字溝を多数配列させる事で、ゴルフクラブでトレイ本体内のゴルフボールを容易に１個づつ取り出せるようにしたゴルフボール溜めトレイである。
【発明の効果】
【０００６】本発明によるゴルフ打撃練習において、ゴルフボール溜めトレイの中に収納されているボールを、１個ずつ容易にゴルフクラブのヘッドで掻き出す事が可能になり、これまでの複数のボールが転がり混んでしまい不必要なボールを排除しなければならないという手間が無くなり、ゴルフの打撃練習にテンポ良く、集中する事を可能にする。
【発明を実施するための最良の形態】
【０００７】図面に基づいて、この発明に係るゴルフボール溜めトレイについての最良の形態を詳細に説明する。
合成樹脂あるいはゴムなどの同効素材を用い、一体成形により長方形状のトレイ本体２を得る。【０００８】該トレイ本体２は周緑壁が形成してあり、その片側の長手方向には高壁部４を設け、前方の長手方向には、該高壁部４より低い高さの低壁部３を施して、ボール取り出し部４’としてある。【０００９】長方形状からなるトレイ本体２の取り出し部４’とした低壁面３の内側には傾斜角度を約３０度程度に施した傾斜部６を形成し、ゴルフボールの径に近い大きさのＵ字溝部５を多数配列させる事により、ゴルフボール８をクラブヘッドで１個づつ掻き出しやすくしてある。【００１０】高壁部４の高さｈは５ｃｍにしてあり、ゴルフボール径より高く形成されゴルフボール８がトレイ本体から安易にこぼれ落ちないようにする。
一方、低壁部３の高さは、ゴルフボール８が、Ｕ字溝部５を通過して打撃練習マットである人工芝９のパイル１０の表面にスムーズに運ばれるように人工芝９の厚みに近い高さを有している。【００１１】また、底面部１２は、高壁部４から該Ｕ字溝部５に向けて緩やかな下り傾斜を有しており、ゴルフボール８は自重により、Ｕ字溝部５手前まで自然に集められる。
さらに、底面部１２にＵ字溝部５と同じ形状を有したボール整列部１１を各Ｕ字溝部に連結する状態に設ける事によって、ゴルフボールはＵ字溝に導かれやすくなり、１個ずつゴルフボールを整列させる事で、ゴルフクラブのヘッドで必要とする１個を掻き出しやすくなる。【００１２】該底面部１２の裏側に脚部７を傾斜角度に応じて複数配列し、底面部１２の安定を保つと同時に原材料重量を抑え、安価に生産を可能にする。
【産業上の利用可能性】
【００１３】本発明に係わるボール溜めトレイは、工業的に量産する事が可能であるため、産業上の利用可能性を有する。
【図面の簡単な説明】
【００１４】
【図１】本発明に係わるゴルフボール溜めトレイの全体斜視図である。
【図２】ゴルフボール溜めトレイの断面拡大図である。
【符号の説明】
【００１５】１      ゴルフボール溜めトレイ
２      トレイ本体
３      低壁部
４      高壁部
５      Ｕ字溝部
６      傾斜面
７      脚部
８      ゴルフボール
９      人工芝
１０    人工芝パイル
１１    ボール整列部
１２    底面部
【図１】
2008114021.tif 000003
【図２】
2008114021.tif 000004
(57)【要約】【課題】  気管挿管が困難な場合に、気管支鏡をガイドにした方法で、より円滑で安全に操作できる気管挿管チューブを提供する。【解決手段】  喉頭の解剖にしたがって容易に屈曲し閉塞しない屈曲部３と、声門部やその周辺に係らないよう尖頭型先端を持ち、操作手技の間に通気孔１・２より高流量酸素による換気を可能とした気管挿管チューブとして構成する。この構成によれば、気管挿管が困難な場合に気管支鏡をガイドとして用いて円滑で安全性の高い操作が可能となる。また、操作中の無呼吸による低酸素血症を予防する効果が得られる。【選択図】図１
2008114022.tif 000002
【特許請求の範囲】
【請求項１】
先端部分が曲がりやすく、屈曲による内腔の閉塞を防ぐ構造のチューブと、
中央部に１つと、側面部にいくつかの通気孔を持つ尖頭型の先端と
からなる気管挿管チューブ。
【発明の詳細な説明】
【技術分野】
【０００１】  本発明は、全身麻酔、呼吸不全などで気管挿管困難症例における挿管操作を改善するために用いられる気管挿管チューブに関するものである。
【背景技術】
【０００２】  一般に、気管挿管には候頭鏡を用い候頭部を展開して直視下に気管チューブを気管内に挿入するが、解剖学的な相違によりこの操作が非常に困難な場合がある。従来から、このような症例には特殊な候頭鏡やチューブガイドを用いる方法が試みられ、気管支鏡をガイドにする方法も行われる事がある。
【発明の開示】
【発明が解決しようとする課題】
【０００３】  しかしながら、上記の喉頭鏡による方法でも展開に難渋する場合があり、チューブガイドや気管支鏡が気管内に入っても、チューブの先端が声門部やその周辺に係り、容易には先に進められない事があるという問題点があった。また、時に無呼吸状態での操作手技に時間を要する問題もあった。
【課題を解決するための手段】
【０００４】  そこで、本発明は、先端部分が曲がりやすく、屈曲による内腔の閉塞を防ぐ構造のチューブと、中央部に１つと、側面にいくつかの通気孔を持つ尖頭型の先端とからなる気管挿管チューブを構成したものである。即ち、本発明は、喉頭の解剖にしたがって容易に屈曲し閉塞しない先端部分を持ち、声門部やその周辺に係らないよう尖頭型で、操作手技の間に通気孔より高流量酸素による換気を可能とした気管挿管チューブとして構成するものである。
【発明の効果】
【０００５】  本発明の気管挿管チューブは、喉頭の解剖が複雑で気管挿管が容易でない場合に、より簡易な手技で円滑な操作が可能なように先端部は屈曲しやすく閉塞し難い。また、気管支鏡をガイドにした場合にチューブが進めやすい尖頭型の先端で、備えてられている通気孔を通して酸素投与することで無呼吸を防ぐことができる。
【発明を実施するための最良の形態】
【０００６】  以下、本発明の実地の形態を図面に基づいて説明する。【０００７】図１に気管挿管チューブを示すように、丸みを帯びた尖頭型である先端中央に直径３ｍｍ以上で円形の通気孔１が１つ、その周りの側面に径が約２〜３ｍｍで楕円状の通気孔２がいくつか備えられており、屈曲部３には螺旋状の鋼線が入っており先端部とチューブの本幹部を繋いでいる。カフ４は先端より５から１０ｃｍまでの外周上にあり、その内腔は本幹部側壁内の細管５からチューブ基部近くで弁付きの空気注入部６に接続している。【０００８】  このような本発明の気管挿管チューブは、通常の気管挿管が困難な場合に用いられ、通気孔１に通した気管支鏡を気管内に挿入して、それをガイドとしてチューブを進める。屈曲部３は急角度に曲がった気道にもそれに合わせて閉塞せずに容易に変形して、先端が丸みを帯びた尖頭型であるため声門部でチューブを進め易い。操作中に高流量の酸素を断続的にチューブ内に流すと、通気孔２から喉頭の壁に囲まれた空間に噴出する酸素が大部分は口腔内にだが、一部は気管内にも達して無呼吸による低酸素状態を防ぐ手段となる。
【図面の簡単な説明】
【０００９】
【図１】  本発明の気管挿管チューブを示す概略図である。
【符号の説明】
【００１０】  １，２…通気孔、３…屈曲部、４…カフ、５…細管、６…空気注入部
【図１】
2008114022.tif 000003
(57)【要約】【課題】女性などが片手で持ち運べて、美しく構造的にも丈夫な椅子を提供する。【解決手段】椅子の脚を３本にする事で軽くし脚を交差させる事で美しくなり交差する要部分に金具を使う事で強度な椅子になる。【選択図】図１
2008114030.tif 000002
【特許請求の範囲】
【請求項１】
椅子の座面を三本の脚で支さえる。
三本の脚の交差して交わる部分に三ツ又の金具で固定する。
【発明の詳細な説明】
【技術分野】
【０００１】本発明は、椅子の重さを軽くする為に三本脚にして、強度を増す為交差部に金具を使い軽くて丈夫なスツールにした。
【背景技術】
【０００２】従来は、交差した三本脚スツールはなかった。
【発明の開示】
【発明が解決しようとする課題】
【０００３】スツールは、色々な場所で使いたいのでなるべく軽い方が良く４本脚のスツールでは重かった。３本脚では強度に不満があった。
【課題を解決するための手段】
【０００４】スツールの重さを軽くする為３本脚にして強度を増す為脚を交差させ、交差部に金具を使い構造的に美しく強くさせる。
【発明の効果】
【０００５】女性でも片手で持てる程軽くなり、見た感じも美しく三本脚で安定したスツールになった。
交差させる事で力が交差部に集まり、一番力がかかる部分に金具１を使う事で強力になった。
【実施例１】
【図面の簡単な説明】
【０００６】
【図１】本発明の正面図である。
【図２】本発明の交差部の金具である。
【符号の説明】
【０００７】１  金具
【図１】
2008114030.tif 000003
【図２】
2008114030.tif 000004
(57)【要約】      （修正有）【課題】一人暮しの老人から若者は、病気やケガ等で片方の手が使えない時に、一人で自分の背中が洗浄出来なくて困っていた。本発明はこの状態を解決すること。【解決手段】浴室内の壁面に、その各々にブラシ移動レール３を設けた１対の固定板４を取り付け、ブラシ移動レール３に、洗体用ブラシ１を着脱可能なブラシ取付具２を回転可能かつ上下移動可能に取り付け、モーター５によりブラシ取付具２を駆動し、洗体用ブラシ１により背中を洗浄可能にした。【選択図】図１
2008114031.tif 000002
【特許請求の範囲】
【請求項１】
浴室内設置とした電動式背中洗浄装置．
【請求項２】
洗体用取替可能の二重ブラシ
【発明の詳細な説明】
【技術の分野】
【０００１】本発明は一人暮しの人々や病気やケガ等で両手が弱いか、片方が不自由になった人達が、浴室内で洗体する場合に、ボタン操作で手の届かない背中を洗浄することが出来ること。
【背景技術】
【０００２】従来は浴室内に電動式背中洗浄装置が無かった。【０００３】
【特許文献１】無し
【発明の開示】
【０００４】人体背中洗浄装置
【発明が解決しようとする課題】
【０００５】一人暮しの老人から若者は、病気やケガ等で片方の手が使用出来ない場合に、背中を一人で洗浄出来なくて困っていた。本発明はこの課題を解決する為になされた。
【課題を解決する為の手段】
【０００６】この洗浄装置を浴室内の適当な壁面を見て取付け、図ＩのＡ、Ｂ一対にした状態で、２ブラシ取付具に、特注の１洗体ブラシを取付け、１にボデイソープを付着し、６電動のスイッチを押して、５モーターを作動させて、１を３移動レールを使用し上下に移動して背中を洗浄する。使用後は６スイッチを再び押して作動を止める。
【発明の効果】
【０００７】この洗浄装置を浴室内に設置しておくと、手の届かない背中等を手軽に洗浄して、健康上マッサージ効果もあり大変良い結果をもたらすものである。
又、老人向病院や福祉の施設に設置すると、そこで働くヘルパー達の労働軽減にも役立つものと考えられる。
【実施の例】
【０００８】現在まで無し。
【図面の簡単な説明】
【０００９】
【図１】本発明の平面図である。
【図２】本発明の断面図である。
【図３】本発明の洗体ブラシの断面図である。
【符号の説明】
【００１０】１  洗体用ブラシ（取替可能）
２  ブラシ取付具（電動式でレール上を動く）
３  ブラシ移動用レール
４  洗浄装置の固定板
５  電動モーター（取付場所は適当に移動）
６  モーター用スイッチ
７  電気伝導線
８  装置固定用ビス（上下に４ケ所必要）
【装置の補足説明】
【００１１】▲１▼  洗体用ブラシは図３の横造をしたもので、形は丸くても、四角でも良いが、取付取除き作業が簡単で、かつ軽くて長期使用が可能なものにする。
▲２▼  この洗体用ブラシは取替用で常時４ケ準備しておき、衛生上を考えて、殺菌又は除菌の為に乾燥させること。
▲３▼  ブラシ取付具は図２断面図に記入してある形のものを必らず作ること。
▲４▼  ブラシの上下移動は強弱をつけられるように、電動スイッチを３段階に切替えられるようにする。
▲５▼  電動モーターの取付位置は浴室の外部に設置しても良いので、浴室内の状況を見て適当な所につける。
▲６▼  この装置は、防水向の材料を使用し、サビないで洗浄が可能なものとする。
▲７▼  この装置のサイズは、個人用と施設用では変更すべきであり、個人向の場合は上下の長さは５０〜１００ｃｍまで、ＡとＢの間の巾は２０ｃｍが良い。
▲８▼  ブラシ移動用レールの長さと巾は取付位置によって変更する。
【図１】
2008114031.tif 000003
【図２】
2008114031.tif 000004
【図３】
2008114031.tif 000005
(57)【要約】【課題】  多様なネクタイ（素材、柄、色）に合わせ易い、軽量で機能的なネクタイ留め具を提示する。【解決手段】  弾性を有する材料でＵ字型に成形した『はさむ手段』とその内側に接合された『すべり止め手段』により構成される。『はさむ手段』は、開放部からネクタイを入れて挟むことができ、表面は、両方とも利用でき、素材、模様、彩色、レリーフ、シールを２種類施せる。『すべり止め手段』は、装身時、挟まれたネクタイが、ずれることを防ぐと共にネクタイの裏側に隙間を確保する。別途、その隙間に紐状、帯状、または鎖状の連接具を通すか、『はさむ手段』に挟み付けして、シャツへ留める。【選択図】図１
2008114018.tif 000002
【特許請求の範囲】
【請求項１】
ネクタイ留め具であって、弾性を有する材料でＵ字型に成形した『はさむ手段』とその内側に接合された『すべり止め手段』により構成される。『はさむ手段』は、開放部からネクタイを入れて挟むことができ、表面は、両方とも利用でき、素材、模様、彩色、レリーフ、シールを２種類施せる。『すべり止め手段』は、装身時、挟まれたネクタイが、ずれることを防ぐと共にネクタイの裏側に隙間を確保するもの。
【請求項２】
請求項１のネクタイ留め具であって、片面ごとに幅や形状が異なるもの。
【請求項３】
請求項１のネクタイ留め具であって、『すべり止め手段』の布地への接触面は、球状、円柱状、または俵型状であり、『はさむ手段』は、透明性をもつプラスチックをＵ字型に曲げて成形したもので、『すべり止め手段』が接着、または埋め込まれているか、もしくは埋め込まれて、かつ接着されていて、『すべり止め手段』の色は、透明、または有色であり、『はさむ手段』から透けて、両面が異なるように見えることを特徴とするもの。
【発明の詳細な説明】
【技術分野】
【０００１】  ネクタイ留め具であって、両面利用が可能なもの。
【背景技術】
【０００２】  『衣類用装飾具』として、装飾面の付け替えが可能なものが提示されている。
特開平１０−２７６８０６。【０００３】  『両面ネクタイ』として、両面使用可能なネクタイが提示されている。
特開２００４−１４９９６７（Ｐ２００４−１４９９６７Ａ）。【０００４】  『両面を使用可能なネクタイ』として、両面使用可能なネクタイが提示されている。
特開２００１−２０１１３（Ｐ２００１−２０１１３Ａ）。【０００５】  『ネクタイ』として、両面使用可能なネクタイが提示されている。
特開平１１−３２３６３７。【０００６】  『クリップ』として、開閉操作部に作用する弾性反撥力によって両挟み片部の解放端側が離間する方向に撥ね返るように成したものが提示されている。
特開２００２−２１９８９０（Ｐ２００２−２１９８９０Ａ）。
【特許文献１】  特開平１０−２７６８０６
【特許文献２】  特開２００４−１４９９６７（Ｐ２００４−１４９９６７Ａ）
【特許文献３】  特開２００１−２０１１３（Ｐ２００１−２０１１３Ａ）
【特許文献４】  特開平１１−３２３６３７
【特許文献５】  特開２００２−２１９８９０（Ｐ２００２−２１９８９０Ａ）
【発明の開示】
【発明が解決しようとする課題】
【０００５】  多様なネクタイ（素材、柄、色）に合わせ易い、軽量で機能的なネクタイ留め具を提示する。
【課題を解決するための手段】
【０００６】  弾性を有する材料でＵ字型に成形した『はさむ手段』とその内側に接合された『すべり止め手段』により構成する。【０００７】  『はさむ手段』は、開放部からネクタイを入れて挟むことができ、表面は、両方とも利用でき、素材、模様、彩色、レリーフ、シールを２種類施せる。【０００８】  『はさむ手段』は、装身時、片方がネクタイによって隠されるため、片面ごとに幅や形状を変えてもよい。【０００９】  『すべり止め手段』は、装身時、挟まれたネクタイが、ずれることを防ぐと共にネクタイの裏側に隙間を確保する。【００１０】  別途、その隙間に紐状、帯状、または鎖状の連接具を通すか、『はさむ手段』に挟み付けして、シャツへ留める。
【発明の効果】
【００１１】  機能のみならず、装身具として表現領域を提供できる。シャツへ留める手段は別にしてあるため、好みの方式を選択できる。本方式のネクタイ留め具が複数ある場合、シャツへ留める手段は共用もできる。
【発明を実施するための最良の形態】
【００１２】  『すべり止め手段』の布地への接触面は、球状、円柱状、または俵型状とし、布地を傷めないようにする。【００１３】  『はさむ手段』は、透明性をもつプラスチックをＵ字型に曲げて成形したもので、『すべり止め手段』が接着、または埋め込まれているか、もしくは埋め込まれて、かつ接着されている。【００１４】  『すべり止め手段』の色は、透明、または有色であり、『はさむ手段』から透けて、両面が異なるように見える。
【図面の簡単な説明】
【００１５】
【図１】  発明を実施するための最良の形態での例。
【符号の説明】
【００１６】  １０Ｕ字型に曲げて成形した『はさむ手段』、１１片方の表面、１２別の片方の表面、１３球状の『すべり止め手段』、１４俵型状の『すべり止め手段』、１５透けて見える球状の『すべり止め手段』、１６透けて見える俵型状の『すべり止め手段』。
【図１】
2008114018.tif 000003
(57)【要約】      （修正有）【課題】早期新生児、新生児、乳幼児の授乳時に、逸乳による身体や衣類の汚染を防ぐ、授乳補助具を提供する。【解決手段】授乳時に子どもが逸乳した場合、哺乳瓶に装着した授乳補助具で、授乳しながら逸乳の清拭処理が可能であり、哺乳瓶を口から離させ、哺乳瓶を置き、空いた手でカーゼ、ハンカチ等を用いて拭くという作業を不要にできるように、授乳補助具本体１の片側に縫製部３を設け、平ゴム２を設けた授乳補助具で、乳児の肌を清潔に保つことができる。【選択図】図１
2008114019.tif 000002
【特許請求の範囲】
【請求項１】
授乳補助具本体（１）の片側に縫製部（３）を設け、平ゴム（２）を設けたことを特徴とする授乳補助具。
【発明の詳細な説明】
【技術分野】
【０００１】  本発明は、早期新生児、新生児、乳幼児の授乳時に、逸乳（子どもの口からの漏乳）による身体や衣類の汚染を防ぐ、授乳補助具に関するものである。
【背景技術】
【０００２】  従来、授乳の際には、腰を下ろした状態のまま片手で子どもの身体を支え、もう一方の手で哺乳瓶を持ち授乳を行なっていた。
よって、授乳時に子どもが逸乳した場合、哺乳瓶の乳首部を口から離させ、哺乳瓶を置き、空いた手でカーゼ、ハンカチ等を用いて拭くという作業が生じていた。
【発明の開示】
【発明が解決しようとする課題】
【０００３】  授乳時に子どもが逸乳した場合、哺乳瓶を口から離させ、哺乳瓶を置き、空いた手でカーゼ、ハンカチ等を用いて拭くという作業が生じていた。
当該作業の間に逸乳が顔を伝ってこぼれ、衣服や身体を頻回に汚し、肌荒れや湿疹の原因でもあった。
また、汚れた肌着や衣服は洗濯をしても襟元等にシミが残って見苦しく、買い替えが頻繁に起こり不経済であった。
本発明は、これらの問題点を解決するためになされたものである。
【課題を解決するための手段】
【０００４】  授乳補助具本体（１）の片側に縫製部（３）を設け、平ゴム（２）を設けたことを特徴とする授乳補助具である。
【発明の効果】
【０００５】  本発明の授乳補助具は、哺乳瓶のキャップ部、キャップと瓶の接合部、瓶本体に装着するものである。
授乳時に子どもが逸乳した場合、哺乳瓶に装着した授乳補助具で、授乳しながら逸乳の清拭処理が可能であり、哺乳瓶を口から離させ、哺乳瓶を置き、空いた手でカーゼ、ハンカチ等を用いて拭くという作業を不要にできる。
また、肌に優しく、逸乳が速やかに吸水され、肌は常に清潔で、肌荒れ、湿疹にならず、肌着や衣服も汚れない。
３〜５枚程度のパッケージタイプとすることにより、外出時コンパクトに携帯でき、１０〜１５枚程度のボックスタイプとすることにより、産院や保育園での授乳時にも使用できる。
【発明を実施するための最良の形態】
【０００６】  以下、本発明の実施の形態を説明する。
吸水性に優れ、肌への刺激が少ない、できるだけ薄い材質やカーゼ等の布織布を適当な枚数重ね、授乳補助具本体（１）とする。
授乳補助具本体（１）の片側に縫製部（３）を設ける。
縫製部（３）に平ゴム（２）を取り付ける。
本発明は、以上の構成よりなっている。
本発明を使用するときは、哺乳瓶に調乳後、上記の授乳補助具を平ゴム（２）が哺乳瓶の底部側に来るように、哺乳瓶のキャップ部（６）、キャップと瓶の接合部、瓶本体のいずれかに装着する。
授乳時は、哺乳瓶（４）の乳首部（５）を口に含ませる際に、吸収布が顎部及びほほ部に密着していることを確認する。
授乳中の逸乳（７）は速やかに吸収布に吸収され、吸収布の外にある身体や衣類を汚すことはない。
逸乳（７）を清拭したいときは、授乳中であればもち手の指（８）で吸収布を保持して、授乳しながら清拭が可能であり、授乳後も哺乳瓶（４）の乳首部（５）を口から離させ、吸収布の汚れていない部分での清拭が可能である。
３〜５枚程度のパッケージタイプとすることにより、外出時コンパクトに携帯でき便利である。
１０〜１５枚程度のボックスタイプとすることにより、産院や保育園での授乳時にも使用でき、衛生管理も容易で便利である。
【図面の簡単な説明】
【０００７】
【図１】本発明の斜視図。
【図２】本発明の哺乳瓶のキャップ部に装着時の使用状態を示した斜視図。
【図３】本発明の哺乳瓶の本体とキャップ接合部に装着時の使用状態を示した斜視図。
【図４】本発明の哺乳瓶本体に装着時の使用状態を示した斜視図。
【図５】本発明の授乳時の使用状態を示した斜視図。
【符号の説明】
【０００８】      １  授乳補助具本体
２  平ゴム
３  縫製部
４  哺乳瓶本体
５  哺乳瓶乳首部
６  哺乳瓶キャップ部
７  逸乳
８  指
【図１】
2008114019.tif 000003
【図２】
2008114019.tif 000004
【図３】
2008114019.tif 000005
【図４】
2008114019.tif 000006
【図５】
2008114019.tif 000007
(57)【要約】      （修正有）【課題】身近な携帯電話機を利用してストレス状態を確認出来るようにした箱型体温計によるストレス確認装置を提供する。【解決手段】携帯電話機に接続した箱型体温計のセンサーに、指を当てれば体温に応じてストレス、リラックスを携帯電話機の画面に表示するようにした。また携帯電話機やパソコンに転送しデーターシートを作成すれば、ストレス状態やリラクゼーション法の進歩の様子などの参考になり専門家のアドバイスを受けることも可能にななる。【選択図】図１
2008114012.tif 000002
【特許請求の範囲】
【請求項１】
箱型体温計θに携帯電話機に接続する端子を設け、θにあるセンサーに指先を当てることで、指先の体温の値に応じて複数に区分された精神状態の表示を携帯電話機の画面に表示することを特徴とする確認装置。
【請求項２】
前記精神状態の区分出力は、テーブルデータとして格納されていることを特徴とする請求項１記載の箱型体温計θによるストレス確認装置。
【発明の詳細な説明】
【技術分野】
【０００１】人はストレスがあると、首筋から肩、腕の筋肉が緊張する為その筋肉に囲まれた血管が収縮し血液の流れが悪くなり、指先の温度はストレス状態で３３℃以下、平静状態３３．１〜３４℃、リラックス状態３５℃〜と考えられます。
本発明は、指先の温度を測ることで手軽にストレスが確認出来、その解消に役立つストレス確認装置に関するものであります。
【背景技術】
【０００２】従来からストレスを数値的に計測する手段として、脳波計測、皮膚電気抵抗計測、皮膚温度計測などがありますが、いずれも高価であり、操作も難しく広く世間に利用されるようなことはありませんでした。
【発明の開示】
【発明が解決しようとする課題】
【０００３】そこでこの発明は中高生にも利用出来る、操作が簡単、安価、携帯に便利、堅牢などを考慮したストレス確認装置を提供することを目的とするのです。
【課題を解決するための手段】
【０００４】この発明は、デジタル体温計をマッチ箱の半分大の基盤に設置、図１の様に指先の体温を検知するセンサーを設けるとともに、センサーの出力に応じて複数に区分された精神状態を表示する手段を設けたことを特徴とします。
【発明の効果】
【０００５】上記の手段によると、極めて身近な体温計でストレスとリラックスの確認が可能になり、安価のため多くの人々特に登校拒否、校内暴力、イジメに悩む中高生の精神安定に有効と思われます。
【発明を実施するための最良の形態】
【０００６】この発明の実施の形態を図面を参照して説明すると、図１はこの発明の実施の形態を示す概要図であります。図１の１０１センサーに指を当てると、表示部１０２にストレスのある時はストレスが表示されます。【０００７】ストレスを和らげリラックスする場合は『気持ちが落ち着いて手のひらが温かい』と暗示するなど、取扱説明書のリラクゼーション法を実施すれば、慣れれば１分以内にリラックスし表示部１０３に表示されます。【０００８】またこの発明は上記の実施の形態に対して携帯電話機やパソコンに転送しデーターシートを作成すれば、ストレス状態やリラクゼーション法の進歩の様子などの参考になり専門家のアドバイスを受けることも可能になります。
【図面の簡単な説明】
【０００９】
【図１】本発明の一実施の形態を示す説明図
【図２】本発明の要部のブロック機能を示す図
【符号の説明】
【００１０】θー箱型体温計、１０１ーセンサー、１０２ーストレス表示部
１０３ーリラックス表示部
【図１】
2008114012.tif 000003
【図２】
2008114012.tif 000004
(57)【要約】      （修正有）【課題】子供用シューズの購入回数を減らすためにサイズ調節が可能なパット付き子供用シューズを提供する。【解決手段】子供用シューズのつま先部にマジックテープ３（登録商標）により着脱可能なパット２を設ける。サイズを調節するために異なる厚みを有するパット２を複数設ける。【選択図】図１
2008114016.tif 000002
【特許請求の範囲】
【請求項１】
子供用シューズのつま先部にマジックテープ（登録商標）により着脱可能なパットを設けた、パット付き子供用シューズ。
【請求項２】
異なる厚みを有するパットを複数設けた請求項１のパット付き子供用シューズ。
【発明の詳細な説明】
【技術分野】
【０００１】本発明は、ある程度サイズ調節ができる、パット付き子供用シューズに関するものである。
【背景技術】
【０００２】従来、子供用シューズは、履き易さや運動し易さなどを向上させる為、様々な工夫がなされているが、サイズを調整したいときは、大きめのシューズを買い、厚手の靴下を履く又はつま先につめ物をする、などのことがなされている。
【発明の開示】
【発明が解決しようとする課題】
【０００３】子供の早い成長をみこして、大きめのシューズを買い、子供の足があうようにサイズを調節しようとするとき次のような問題点があった。
厚手の靴下を履いて調節する方法は、夏は暑く、シューズ内部全体が窮屈になる。又、つま先に布などのつめ物をして調節する方法は、つめ物が安定しないでずれてくることなどのことが挙げられる。
本発明は、以上の問題点を解決し、大きめのシューズを買っても、子供の足があうように、ある程度のサイズ調節ができるようになされたものである。
【課題を解決するための手段】
【０００４】子供用シューズのつま先部に、マジックテープ（登録商標）により着脱可能なパットを設ける。サイズを調節するために異なる厚みを有するパットを複数設ける。本発明は以上の構成によりなる、サイズを調節できるパット付き子供用シューズである。
【発明の効果】
【０００５】本発明によって、子供の早い成長をみこして大きめのサイズのシューズを選択できて、子供の足の成長にともない薄いパットに交換したり、パットを取り外して使用することにより、通常よりながく１足のシューズを使用できて経済的に有利である。
【発明を実施するための最良の形態】
【０００６】以下、本発明の実施の形態を説明する。
（イ）サイズ調節を目的とするパット２は、足のつま先形状またはシューズのつま先部の形状にあわせ円弧状に形成する。
（ロ）パット２は芯材５、カバー材６、パットマジックテープ部４からなりパット２全体の厚みは、サイズ調節を目的とするため１ｃｍ〜３ｃｍ程度のものを複数設ける。
（ハ）パットマジックテープ部４は、シューズ全体１と接する部分側だけに設ける。
（ニ）パット２の芯材５は、例えばポリエステルなどの合成繊維で形成されカバー材６はフェルトやその他の布帛等で形成される。
（ホ）シューズ本体１つま先部に本体マジックテープ部３を設ける。形状はパットマッジックテープ部４に沿ったものとする。
本発明に以上の構成よりなる。
本発明を使用する場合は、子供の足の成長をみこして大きめのシューズを選択し、最初は３ｃｍ位のパット２をマジックテープ（登録商標）により装着して使用する。子供の足が成長するたびに２ｃｍのパット２、１ｃｍのパット２に交換する。又は、パット２を取り外してサイズを調節して使用する。
【図面の簡単な説明】
【０００７】
【図１】本発明のパット２を装着した状態の斜視図
【図２】本発明のパット２の上視図
【図３】図２のＢＢ′断面図
【図４】図１のＡＡ′要部拡大断面図
【図５】図１のＣＣ′断面図
【符号の説明】
【０００８】  １  シューズ本体
２  パット
３  本体マジックテープ部
４  パットマジックテープ部
５  芯材
６  カバー材
【図１】
2008114016.tif 000003
【図２】
2008114016.tif 000004
【図３】
2008114016.tif 000005
【図４】
2008114016.tif 000006
【図５】
2008114016.tif 000007
(57)【要約】      （修正有）【課題】長時間つけることが出来、装着するだけで、磁気力により血流が良くなるイヤリングを提供する。【解決手段】ファッション性のあるイヤリングでお洒落を楽しみながら着けられる様にした。磁石は２０００ガウス・１０００ガウスを使用した事で、簡単に取り外し出来、ジョギング等をしても落ちる心配が無い。又耳の大きさ厚さに関係なく球状の突起物が胃のツボを刺激する位置に正確に装着することが出来る実用的な健康イヤリングである。【選択図】図１
2008114009.tif 000002
【特許請求の範囲】
【請求項１】
耳朶を前後から挟む為に耳朶の表側に付けるイヤリングキャストの内側に直径５ミリメートル厚さ１．５ミリメートルの希土類磁石２０００ガウスをはめ込む為の円錐（図５−Ｆ）を掘った健康イヤリング
【請求項２】
イヤリングキャスト（１）の円錐に直径５ミリメートル厚さ１．５ミリメートルの希土類磁石２０００ガウスをはめ込んだ（図７−Ａ）請求項１記載の健康イヤリング
【請求項３】
イヤリングキャスト（２）の磁石の回りに、球状の突起物（図７−Ｃ）を付け耳朶を刺激するように作られた請求項１・２記載の健康イヤリング
【請求項４】
イヤリングキャスト（３）の球状の突起物は、すべて異なる球状（図７−Ｃ）にすることで耳朶への刺激が効果を得られる様にした請求項１・２・３記載の健康イヤリング
【請求項５】
イヤリングキャスト（４）の球状の突起物の配置間隔をすべて変える事で、耳朶への刺激が効果を得られるようにした請求項１・２・３・４記載の健康イヤリング
【請求項６】
耳朶を前後から挟む為に耳朶の後ろに付けるイヤリングキャストの内側に直径９ミリメートル厚さ３ミリメートルのフェライト磁石１０００ガウスをはめ込む為の円錐（図６−Ｅ）を掘った健康イヤリング
【請求項７】
イヤリングキャスト（６）の円錐に直径９ミリメートル厚さ３ミリメートルのフェライト磁石１０００ガウスをはめ込んだ（図２−Ｂ）請求項６記載の健康イヤリング
【請求項８】
イヤリングキャスト（１）（６）の素材をシルバー９２５で作った耐久性のある請求項１・２・３・４・５・６・７記載（図７）（図８）の健康イヤリング
【請求項９】
イヤリングキャスト（２）の磁石を希土類磁石２０００ガウス、イヤリングキャスト（７）の磁石をフェライト磁石１０００ガウスにした事で吸着力を強くした請求項１・２・３・４・５・６・７・８・記載の健康イヤリング
【請求項１０】
イヤリングキャスト（１）（２）（３）（４）（５）の球状の突起物を、希土類磁石より２ミリメートル高くしたことで吸着力の強いイヤリングキャストでも耳朶に負荷の掛からない様にした請求項（１）（２）（３）（４）（５）記載（図５−Ｃ）の健康イヤリング
【発明の詳細な説明】
【発明の詳細な説明】
【技術分野】
【０００１】本発明は耳朶の表側に付けるイヤリングキャスト内側に、すべて大きさの異なる球状の突起物を付け、又磁石をはめ込んだ事。耳朶の後ろ側に付けるイヤリングキャスト内側に磁石をはめ込んだ事で、異なる耳朶の大きさ、厚さでも簡単に着けられ、磁石の磁気で血流を良くし、球状の突起物で胃のツボを刺激する事が出来る。又耳朶の表側に付けるイヤリングキャストの外側はデザイン性にも富、ファッション性のある実用的な健康イヤリング
【背景技術】
【０００２】従来のイヤリングはバネ式、又はパーツを付けた物で、耳のくぼみに引っ掛ける様に作られた物である
【発明が解決しようとする課題】
【０００３】これらの耳のくぼみに引っ掛けるタイプのイヤリングは、耳が痛くなり、長時間着けられない事と、パーツタイプの物は耳の大きさや厚みによって胃のツボを刺激するといった事が出来ず実用的要素に欠けている
【発明を解決する為の手段】
【０００４】上記目的を解決する為、イヤリングキャストを表側・後ろ側の二つに分離し、両イヤリングキャスト内側に磁石をはめ込んだことで、耳の大きさ、耳朶の厚さに関係なく、球状の突起物が胃のツボに当たる様に作られた事と、表側イヤリングキャストの内側に磁石より２ミリメートル高い球状の突起物を付けた事で、吸着力の強いイヤリングキャストでも耳朶に負荷が掛からず、長時間着けていても痛くならず、磁力で簡単に脱着が出来る
【発明の作用効果】
【０００５】イヤリングを装着するだけで、磁気力により血流が良くなる事で体温が上がり、有酸素運動の働きが得られる。又、筋肉のこりをほぐし、肩こり、便秘、倦怠感、冷症、眼精疲労、肌荒れなど様々な症状を和らげる事が出来ることと、球状の突起物が胃のツボに直接当たる為、食欲をコントロールし、ダイエットにも繋がる
【図面の簡単な説明】
【０００６】
【図１】磁石・突起物付きイヤリングキャスト  耳朶表側内面観斜視図
【図２】磁石付きイヤリングキャスト  耳朶後側内面観斜視図
【図３】耳朶表側イヤリングキャスト上面図
【図４】耳朶後側イヤリングキャスト上面図
【図５】耳朶表側イヤリングキャスト横から見た断面図
【図６】耳朶後側イヤリングキャスト横から見た断面図
【図７】耳朶表側イヤリングキャスト正面図
【図８】耳朶後側イヤリングキャスト正面図
【符号の説明】
Ａ  希土類磁石部分
Ｂ  フェライト磁石部分
Ｃ  突起物球状部分
Ｄ  シルバーデザイン部分
Ｅ  フェライト磁石をはめ込む部分
Ｆ  希土類磁石をはめ込む部分
【図１】
2008114009.tif 000003
【図２】
2008114009.tif 000004
【図３】
2008114009.tif 000005
【図４】
2008114009.tif 000006
【図５】
2008114009.tif 000007
【図６】
2008114009.tif 000008
【図７】
2008114009.tif 000009
【図８】
2008114009.tif 000010
(57)【要約】      （修正有）【課題】内視鏡で胃内に送気するときにのみカテーテル末端に気体が流れ、胃内を吸引する際にはカテーテルを通して大気を胃内に引き込み吸引を可能にし、かつ、液体の逆流を防ぐカテーテルの液体学流防止機能を提供する。【解決手段】先端付近に２つのバルーン２，３が取り付けられ、その後側に側孔４があり、末端が液体の中に入れられ圧を計測できるカテーテルに２つの一方向弁を取り付ける。カテーテル末端側（液体に入る側）にはカテーテル末端側にしか気体が流れない一方向弁１２をつける。またカテーテルの側枝側には大気側からカテーテル内にしか気体が流れない一方向弁１１をつける。【選択図】図１
2008114010.tif 000002
【特許請求の範囲】
【請求項１】
先端付近に２つのバルーンが取り付けられ、その後側に側孔があり、末端が液体の中に入れられ圧を計測できるカテーテルに取り付けられた２つの一方向弁。
【発明の詳細な説明】
【発明の詳細な説明】
【技術分野】
【０００１】医療分野。内視鏡分野。
【背景技術】
【０００２】先に発明した「胃内圧を一定に保つためのカテーテル」では胃内と液体内が完全な閉鎖空間となり、内視鏡で胃内を吸引する際にカテーテル末端が入れられた液体が胃内に逆流する可能性がある。
【発明が解決しようとする課題】
【０００３】内視鏡で胃内に送気するときにのみカテーテル末端に気体が流れ、胃内を吸引する際にはカテーテルを通して大気を胃内に引き込み吸引を可能にし、かつ、液体の逆流を防ぐ。
【課題を解決するための手段】
【０００４】カテーテルに２つの一方向弁を取り付けることにより上記問題を解決する。
【発明を実施するための最良の形態】
【０００５】  先端付近に２つのバルーンが取り付けられ、その後側に側孔があり、末端が液体の中に入れられ圧を計測できるカテーテルに２つの一方向弁を取り付ける。カテーテル末端側（液体に入る側）にはカテーテル末端側にしか気体が流れない一方向弁をつける。またカテーテルの側枝側には大気側からカテーテル内にしか気体が流れない一方向弁をつける。
【発明の効果】
【０００６】内視鏡で胃内に送気するときにのみカテーテル末端に気体が流れ、胃内を吸引する際にはカテーテルを通して大気を胃内に引き込み吸引を可能にし、かつ、液体の逆流を防ぐ。
これにより液体の逆流による胃内の汚染を防止できる。
【図面の簡単な説明】
【図１】  先端付近に２つのバルーンが取り付けられ、その後側に側孔があり、末端が液体の中に入れられ圧を計測できるカテーテルに取り付けられた２つの一方向弁。
【符号の説明】
［図１］
▲１▼把持用の輪
▲２▼前方バルーン
▲３▼後方バルーン
▲４▼側孔
▲５▼前方バルーン注入口（逆止弁）
▲６▼後方バルーン注入口（逆止弁）
▲７▼計測目盛
▲８▼液体（水など）を入れる箱
▲９▼排気口、液体（水など）注入口
▲１０▼液体（水など）
▲１１▼一方向弁（大気側からカテーテル側へ）
▲１２▼一方向弁（カテーテル側からカテーテル末端、液体側へ）
【図１】
2008114010.tif 000003